(57)【特許請求の範囲】
【請求項１】
中心軸線を有する筒状の軸筒と、
前記軸筒内に配置されるノック部材と、
前記ノック部材の両側面に形成されて、前記中心軸線に直交する方向に前記ノック部材から突出する第１突片と、
前記軸筒内壁に設けられ後端位置から前記中心軸線に沿って前記軸筒の前端に向かう前記ノック部材のスライド移動を案内する案内レールであって、前記第１突片に係合して前記中心軸線に直交する径方向内側への前記ノック部材の移動を規制する内側レールを有する案内レールと、
前記ノック部材の両側面に形成されて、前記中心軸線に直交する方向に前記ノック部材から突出する第２突片であって、前記第１突片と当該第２突片との間に前記内側レールが配置され、且つ、前記内側レールに係合して前記中心軸線に直交する径方向外側への前記ノック部材の移動を規制する第２突片と、を具備することを特徴とする多芯式筆記具。
【請求項２】
前記第１突片の後端が前記内側レールの前端から離脱して前記ノック部材の後端が前記中心軸線に直交する方向に前記軸筒内に入り込む前端位置から後端位置に復帰する際に、離脱した前記内側レールが前記第１突片と前記第２突片との間に再配置されることを助力するテーパ面が前記第２突片後端に設けられていることを特徴とする請求項１に記載の多芯式筆記具。
【請求項３】
前記案内レールが、前記第１突片に係合して前記中心軸線に直交する径方向外側への前記ノック部材の移動を規制する外側レールを有し、該外側レールと前記内側レールとの間に前記第１突片が配置されることを特徴とする請求項１又は２に記載の多芯式筆記具。
【発明の詳細な説明】
【技術分野】
【０００１】
本発明は、筆記具に関し、特に、例えば複数の交換可能なリフィルを備える多芯式筆記具に関する。
【背景技術】
【０００２】
多芯式筆記具では、軸筒の中心軸線に平行に軸筒の後端に形成される複数の窓孔内に個々にノック部材が組み込まれる。ノック部材の前端にはリフィルの後端が取り付けられる。各リフィルは、ノック部材よりも軸筒の前端側で軸筒内に固定されるスペーサの中心軸線周りに均等に配置された貫通孔を通って軸筒の前端に向かって延びる。ノック部材の前端とスペーサの後端との間でリフィルにはコイルばねが取り付けられる。リフィルはコイルばねの中を貫通して配置されている。コイルばねは、ノック部材を軸筒の後端に向かって押し付ける弾性力を発揮する。
【０００３】
非筆記状態では、ノック部材は、その各側面に設けられた突片によって、中心軸線に平行に軸筒の後端に形成される案内レール上にスライド可能に配置される。筆記時、ばねの弾性力に抗して軸筒の前端に向かってノック部材を移動させると、ノック部材は案内レール上をスライド移動する。その後、ノック部材が案内レールの先端から離脱すると、ノック部材は中心軸線に直交する径方向に軸筒内に入り込む。ばねの弾性力によってノック部材の後端が案内レールの先端に係合すると、リフィル先端の筆記部が軸筒の前端の孔から突出する。こうして筆記状態が確立される（特許文献１〜３）。
【先行技術文献】
【特許文献】
【０００４】
【特許文献１】特開平１１−１３９０８０号公報
【特許文献２】特開２００１−１１３８８３号公報
【特許文献３】特開２００８−１３２７０６号公報
【発明の概要】
【発明が解決しようとする課題】
【０００５】
特許文献１から３に記載の多芯式筆記具に用いられるノック部材は、中心軸線に直交する径方向の力に弱い。すなわち、例えば、ユーザが、軸筒後端の窓孔から突出するノック部材の突起を把持しながら引っ張ると、軸筒の案内レールとノック部材の突片との係合が外れ、ノック部材が抜けてしまう虞がある。特に、ノック部材にクリップが設けられている場合は、ユーザがクリップを把持することによって、ノック部材が外れる方向に大きく力が加わる。それを防止しようとすると、ノック部材の突片の突出量をより大きくし、且つ、係合する案内レールの溝をより深く設ける必要がある。しかしそのためには、周方向に十分な寸法が必要となり、結果として軸筒を太くせざるを得なくなる。
【０００６】
本発明は、軸筒の太さを変えることなく、ノック部材の窓孔からの引き抜きを防止する多芯式筆記具を提供することを目的とする。
【課題を解決するための手段】
【０００７】
請求項１に記載の発明によれば、中心軸線を有する筒状の軸筒と、前記軸筒内に配置されるノック部材と、前記ノック部材の両側面に形成されて、前記中心軸線に直交する方向に前記ノック部材から突出する第１突片と、前記軸筒内壁に設けられ後端位置から前記中心軸線に沿って前記軸筒の前端に向かう前記ノック部材のスライド移動を案内する案内レールであって、前記第１突片に係合して前記中心軸線に直交する径方向内側への前記ノック部材の移動を規制する内側レールを有する案内レールと、前記ノック部材の両側面に形成されて、前記中心軸線に直交する方向に前記ノック部材から突出する第２突片であって、前記第１突片と当該第２突片との間に前記内側レールが配置され、且つ、前記内側レールに係合して前記中心軸線に直交する径方向外側への前記ノック部材の移動を規制する第２突片と、を具備することを特徴とする多芯式筆記具が提供される。
【０００８】
すなわち、請求項１に記載の発明では、第２突片が、内側レールよりも中心軸線に直交する径方向内側に配置され且つ内側レールに係合して中心軸線に直交する径方向外側へのノック部材の移動を規制することによって、軸筒の太さを変えることなく、ノック部材の窓孔からの引き抜きを防止することが可能となる。
【０００９】
また、請求項２に記載の発明によれば請求項１に記載の発明において、前記第１突片の後端が前記内側レールの前端から離脱して前記ノック部材の後端が前記中心軸線に直交する方向に前記軸筒内に入り込む前端位置から後端位置に復帰する際に、離脱した前記内側レールが前記第１突片と前記第２突片との間に再配置されることを助力するテーパ面が前記第２突片後端に設けられていることを特徴とする多芯式筆記具が提供される。
【００１０】
すなわち、請求項２に記載の発明では、第２突片がテーパ面を有することによって、ノック部材が前端位置から後端位置に復帰する際に、離脱した内側レールが第１突片と第２突片との間に再配置されることが助力され、不要な干渉を減少させることが可能となる。
【００１１】
また、請求項３に記載の発明によれば請求項１又は２に記載の発明において、前記案内レールが、前記第１突片に係合して前記中心軸線に直交する径方向外側への前記ノック部材の移動を規制する外側レールを有し、該外側レールと前記内側レールとの間に前記第１突片が配置されることを特徴とする多芯式筆記具が提供される。
【００１２】
すなわち、請求項３に記載の発明では、内側レールと第２突片との間の係合、及び、外側レールと第１突片との間の係合によって、ノック部材の窓孔からの引き抜きをより確実に防止することができる。
【発明の効果】
【００１３】
各請求項に記載の発明によれば、軸筒の太さを変えることなく、ノック部材の窓孔からの引き抜きを防止する多芯式筆記具を提供することができる。
【図面の簡単な説明】
【００１４】
【図１】本発明の一実施形態に係る多芯式筆記具が非筆記状態にある場合の構造を概略的に示す側面図である。
【図２】図１の線Ａ−Ａに沿った縦断面図である。
【図３】ノック部材の斜視図である。
【図４】ノック部材を概略的に示す側面図である。
【図５】ノック部材を概略的に示す上面図である。
【図６】図１の線Ｂ−Ｂに沿った横断面図である。
【図７】図１の線Ａ−Ａに沿った部分拡大縦断面図である。
【図８】図１の線Ｃ−Ｃに沿った部分拡大縦断面図である。
【図９】本発明の一実施形態に係る多芯式筆記具が筆記状態にある場合の構造を概略的に示す、図１の線Ａ−Ａに沿った部分拡大断面図である。
【発明を実施するための形態】
【００１５】
以下、添付図面を参照しつつ本発明の一実施形態を説明する。図１は、本発明の一実施形態に係る多芯式筆記具１１が非筆記状態にある場合の構造を概略的に示す側面図であり、図２は、図１の線Ａ−Ａに沿った縦断面図である。多芯式筆記具１１は、中心軸線Ｘに沿って例えば円筒状に延びる軸筒１２を有する。軸筒１２は、多芯式筆記具１１の前端側に配置される例えば円筒状の先軸１３と、先軸１３の後端に連結されて多芯式筆記具１１の後端側に配置される例えば円筒状の後軸１４と、を備える。ここで、本明細書中では、筆記部が突出する側を「前」側と規定し、筆記部とは反対側を「後」側と規定する。
【００１６】
先軸１３は例えば金属材料又は樹脂材料から形成される。後軸１４は例えば樹脂材料から形成される。先軸１３の前端には、リフィル（図示せず）の筆記部を突出させるための孔１５が中心軸線Ｘに沿って形成される。先軸１３及び後軸１４は、例えば先軸１３の後端の外周面に形成される雄ねじに後軸１４の前端の内周面に形成される雌ねじが噛み合うことによって連結される。
【００１７】
後軸１４の後端には中心軸線Ｘに平行に延びる複数の窓孔１６が形成される。窓孔１６は、後軸１４の後端から後軸１４の前端に向かって延びる。ここでは、中心軸線Ｘの周りに例えば等間隔に５つの窓孔１６が形成される。なお、窓孔１６の数はリフィルの数に合わせて設定されてよい。各窓孔１６内にはそれぞれノック部材１７、１８が配置される。ノック部材１７、１８は窓孔１６に対応して中心軸線Ｘ周りに等間隔に配列される。ノック部材１７、１８は窓孔１６内で中心軸線Ｘに平行に前後移動することができる。このノック部材１７、１８の前後移動によって、軸筒１２の前端からリフィルの筆記部が突出したり後退したりする。なお、ノック部材は、本明細書に記載された実施形態においては単一の部品から構成されているが、装飾用の部品等と共に２つ以上の部品で構成される場合もある。
【００１８】
本実施形態の多芯式筆記具１１には、ボールペン用の４つのノック部材１７と、シャープペンシル用の１つのノック部材１８とが組み込まれる。ノック部材１７を収容する窓孔１６は、ノック部材１８を収容する窓孔１６よりも、中心軸線Ｘに沿った方向に短い。シャープペンシル用のノック部材１８の後端には例えばクリップ（図示せず）が装着されてよい。ノック部材１７、１８は、相互に異なる形状を有するものの、ほぼ同様の構造を有する。以下、本明細書ではシャープペンシル用のノック部材１８について説明する。
【００１９】
軸筒１２内には、ノック部材１８の前端よりも前方で例えば円柱状のスペーサ１９が配置される。スペーサ１９は後軸１４の内周面に固定される。スペーサ１９は、円柱状の本体２０と、本体２０の前端から後端まで中心軸線Ｘに平行に延びる複数の貫通孔２１と、を備える。各貫通孔２１はリフィル（図示せず）をそれぞれ受け入れる。本体２０の後端面から中心軸線Ｘに沿って後方にツノ部２２が突出する。貫通孔２１はツノ部２２の周りに等間隔に配列される。スペーサ１９は例えば樹脂材料から一体成形によって形成される。
【００２０】
スペーサ１９の本体２０の後端面とノック部材１８の前端面との間には弾性体すなわちコイルばね（図示せず）が挟み込まれる。コイルばね内にはリフィルが挿入される。コイルばねは、スペーサ１９とノック部材１８とを相互に遠ざける方向に弾性力を発揮する。この弾性力の働きで、ノック部材１８は後軸１４の後端に向かって押し付けられた状態で維持される。
【００２１】
ノック部材１８は、軸筒１２内に収容されて窓孔１６内で露出するスライダ本体２３を備える。スライダ本体２３の前端面にはリフィルの後端が挿入される取付部２４が形成される。スライダ本体２３の後端面は後軸１４の後端に受け止められる。スライダ本体２３の上端面には突起２５が形成される。突起２５は、後軸１４の外周面から中心軸線Ｘに直交する径方向に外側に向かって突き出る。突起２５はスライダ本体２３の後端に隣接して配置される。スライダ本体２３にはその後端面から後方に突き出るタブ２６が形成される。タブ２６は、後軸１４の後端に形成される平坦面に受け止められる。
【００２２】
図３は、ノック部材１８の斜視図であり、図４は、ノック部材１８を概略的に示す側面図であり、図５は、ノック部材１８を概略的に示す上面図である。また、図６は、図１の線Ｂ−Ｂに沿った横断面図である。ノック部材１８のスライダ本体２３の各側面には、スライダ本体２３の後端から前端に向かって延びる１筋の第１突片２７が形成される。第１突片２７、２７は、スライダ本体２３の両側面から相互に反対向きに突出する。
【００２３】
さらに、スライダ本体２３の各側面であって、第１突片２７の下方、すなわち中心軸線Ｘ側には、スライダ本体２３の後端近傍から前端に向かって延びる１筋の第２突片２８が形成される。第２突片２８、２８は、スライダ本体２３の両側面から相互に反対向きに突出する。第２突片２８は、スライダ本体２３の後端近傍から、前端近傍まで延びるのが好ましく、前端及び後端の中間部分まで延びるのがより好ましい。中心軸線Ｘに平行な方向の長さは、第２突片２８の方が第１突片２７のよりも短い。また、第２突片２８の後部上面は、後端に向かって下方、すなわち中心軸線Ｘ方向に傾斜したテーパ面２８ａが形成されている。
【００２４】
スライダ本体２３の下端には、当該スライダ本体２３の前端に隣接して配置される前側カム２９と、当該スライダ本体２３の後端に隣接して配置される後側カム３０とが形成される。前側カム２９及び後側カム３０の各前端には、その前端に向かうにつれてスライダ本体２３の下端面に近づく傾斜端が形成される。同様に、前側カム２９及び後側カム３０の各後端には、その後端に向かうにつれてスライダ本体２３の下端面に近づく傾斜端が形成される。その一方で、図３から明らかなように、前側カム２９（及び後側カム３０）は、その下端に向かうにつれて先細るテーパ形状を有する。ノック部材１８は、前側カム２９（及び後側カム３０）の下端で隣り合うノック部材１８の前側カム２９（及び後側カム３０）にほぼ接して配置される。なお、スライダ本体２３、取付部２４、突起２５、タブ２６、第１突片２７、第２突片２８、前側カム２９、後側カム３０は一体成形によって形成される。
【００２５】
図７は、図１の線Ａ−Ａに沿った部分拡大縦断面図であり、図８は、図１の線Ｃ−Ｃに沿った部分拡大縦断面図である。図６と共に図７及び図８を参照すると、第１突片２７、２７は、後軸１４内に形成される案内レール３１、３１上にそれぞれ支持される。案内レール３１は中心軸線Ｘに平行に延びる。案内レール３１は、中心軸線Ｘ側に設けられた内側レール３２と、後軸１４側に設けられた外側レール３３とを有している。ノック部材１８の第１突片２７は、内側レール３２と外側レール３３との間に配置される。また、内側レール３２は、第１突片２７と第２突片２８との間に配置される。案内レール３１は、後軸１４の内壁から径方向内側に延びる５つのブロック３４の側面に形成される。ブロック３４は後軸１４の内壁に一体化される。ブロック３４は中心軸線Ｘ周りに等間隔に配列される。
【００２６】
相互に隣り合うブロック３４、３４同士の間に１つのノック部材１８又はノック部材１７が配置される。ノック部材１８は、相互に隣り合うブロック３４、３４同士の間から中心軸線Ｘに向かって延びる。図６から明らかなように、第１突片２７が内側レール３２と係合することによって、中心軸線Ｘに直交する径方向内側へのスライダ本体２３すなわちノック部材１８の移動が規制される。
【００２７】
また、相互に隣り合う外側レール３３、３３同士によって窓孔１６の幅が規定される。中心軸線Ｘに直交する方向に規定される窓孔１６の幅は、同様に中心軸線Ｘに直交する方向に規定される第１突片２７、２７の両端の距離よりも小さい。従って、第１突片２７が外側レール３３と係合することによって、中心軸線Ｘに直交する径方向外側へのスライダ本体２３すなわちノック部材１８の移動が規制される。
【００２８】
しかしながら、第１突片２７と外側レール３３との係合のみでは、ノック部材１８の窓孔１６からの引き抜きを完全に防止することは困難である。第１突片２７と外側レール３３との係合をより強固にするためには、上述のように、第１突片２７の突出量をより大きくし、且つ、それを受容する案内レール３１の溝をより深く設ける必要がある。そのように構成すると、図６からも明らかなように、ブロック３４の中間部分の周方向の厚みが薄くなり、強度が十分に確保できない。そこで、外側レール３３と第１突片２７との係合に代えて、又は、この係合と併せて、第２突片２８と内側レール３２との係合を利用する。
【００２９】
相互に隣り合う内側レール３２、３２間の距離は、中心軸線Ｘに直交する方向に規定される第２突片２８、２８の両端の距離よりも小さい。従って、第２突片２８が内側レール３２と係合することによって、中心軸線Ｘに直交する径方向外側へのスライダ本体２３すなわちノック部材１８の移動が規制される。その結果、窓孔１６からノック部材１８が引き抜かれることを防止することができる。
【００３０】
第２突片２８の突出量をより大きくすることによって、第２突片２８と内側レール３２との係合をより強固にすることができる。第２突片２８の突出量は、隣り合うノック部材１７、１８と干渉しない範囲において任意に設定可能である。すなわち、第１突片２７のように、ブロック３４の強度の減少を考慮に入れる必要はない。また、第２突片２８の形状においても、内側レール３２との係合を確保でき、且つ、ノック部材１８のスライド移動を阻害しない限りにおいて任意に構成することができる。なお、図６において、第２突片２８を、シャープペンシル用のノック部材１８のスライダ本体２３にのみ設けているが、ボールペン用のノック部材１７のスライダ本体にも設けてよい。
【００３１】
次に、本発明に係る多芯式筆記具１１の使用方法を説明する。図９は、本発明の一実施形態に係る多芯式筆記具１１が筆記状態にある場合の構造を概略的に示す、図１の線Ａ−Ａに沿った部分拡大断面図である。
【００３２】
非筆記状態の多芯式筆記具１１は、図７及び図８に示すように、後端位置のノック部材１８はその後端で後軸１４の後端に受け止められる。例えばユーザが突起２５に指を置いてコイルばねの弾性力に抗してノック部材１８を前方にスライド移動させると、第１突片２７、２７が内側レール３２、３２に案内されてノック部材１８はスライド移動する。ノック部材１８がさらに前方にスライド移動すると、第１突片２７、２７の後端が内側レール３２、３２から離脱し、図９に示すように、ノック部材１８の後端側は後軸１４内に入り込む。このとき、ノック部材１８の後端側の入り込みによって、ノック部材１８の後端面は内側レール３２の前端に係合する。同時に、ノック部材１８の後端のタブ２６は内側レール３２上に受け止められる。こうしてノック部材１８が前端位置に位置決めされると、リフィル先端の筆記部が先軸１３の孔１５から突出する。コイルばねには最大の弾性力が蓄積される。コイルばねの弾性力によってノック部材１８の後端は内側レール３２の前端に押し付けられる。こうして多芯式筆記具１１では筆記状態が確立される。
【００３３】
筆記状態から非筆記状態への復帰にあたって、後端位置にある別のノック部材１７を例えばユーザが前方に向かってスライド移動させると、別のノック部材１７の前側カム２９が、前端位置にあるノック部材１８の後側カム３０に接触する。その結果、前端位置にあるノック部材１８の後端側は後軸１４の外側に向かって移動する。こうして前端位置にあるノック部材１８の後端と内側レール３２との係合が解除される。このとき、コイルばねの弾性力によってノック部材１８は後端位置に向かって押し戻される。リフィル先端の筆記部は先軸１３内に収容される。こうして多芯式筆記具１１は非筆記状態に復帰する。
【００３４】
筆記状態から非筆記状態、すなわち前端位置から後端位置に復帰する際に、離脱した内側レール３２は、第１突片２７と第２突片２８との間に再配置されなければならない。これについて、上述のように、第２突片２８の後部上面には、テーパ面２８ａが形成されている。テーパ面２８ａがあることによって、内側レール３２の再配置を助力し、不要な干渉を減少させることが可能となる。
【符号の説明】
【００３５】
１１    多芯式筆記具
１２    軸筒
１８    ノック部材
２７    第１突片
２８    第２突片
３１    案内レール
３２    内側レール
Ｘ    中心軸線
【図１】
0005959184.tif 000002
【図２】
0005959184.tif 000003
【図３】
0005959184.tif 000004
【図４】
0005959184.tif 000005
【図５】
0005959184.tif 000006
【図６】
0005959184.tif 000007
【図７】
0005959184.tif 000008
【図８】
0005959184.tif 000009
【図９】
0005959184.tif 000010